(57)【要約】【課題】日常的に使用する眼鏡など破損のおそれのある小物を平置きすることなく、且つ容易に取り出すことが可能な携帯鞄を提供する。【解決手段】避難時携帯鞄１０は、互いの後端面の連結部２１を中心に回動可能に連結される下蓋１１と上蓋１２とが開閉可能に構成された箱体１３と、上蓋１２の前端部下面に上端部が回動可能に取り付けられた中板１４と、中板１４の中央部に形成された開口２３の左右の表面に取り付けられた眼鏡収容部１５と携帯電話収容部１６とを備える。そして、下蓋１１と上蓋１２とを開放状態として、中板１４の下端部を下蓋１１の前端部の内面に当接して係止することにより、中板１４は後方に傾斜して立ち上がった状態で支持される。【選択図】図１
2013111337.tif 000002
【特許請求の範囲】
【請求項１】
互いの後端面の連結部を中心に回動可能に連結される下蓋と上蓋とが開閉可能に構成された箱体と、
前記上蓋の前端部下面に上端部が回動可能に取り付けられた中板と、
前記中板の中央部に形成された開口の左右の表面に取り付けられた２つの小物保持部とを備え、
前記下蓋と前記上蓋とを開放状態として、前記中板の下端部を前記下蓋の前端部の内面に当接して係止することにより、前記中板は後方に傾斜して立ち上がった状態で支持されることを特徴とする携帯鞄。
【請求項２】
前記２つの小物保持部は、眼鏡を収容するポケット状の眼鏡収容部と携帯電話を収容するポケット状の携帯電話収容部であることを特徴とする請求項１に記載の携帯鞄。
【発明の詳細な説明】
【技術分野】
【０００１】
本発明は、携帯鞄、特に避難時に日常必需品や貴重品などを持ち出すことに適した携帯鞄に関する。
【背景技術】
【０００２】
地震、火災、津波などの非常時に避難する際には、最小限必要な日常必需品や貴重品などを確実に持ち出す必要がある。例えば、特許文献１には、日常貴重品などを収容するために、複数の内部空間が区画され、蓋部によって開閉可能な収容ボックスを備えた避難時携帯用具が開示されている。
【先行技術文献】
【特許文献】
【０００３】
【特許文献１】特開２００５−２５３８４３号公報
【発明の概要】
【発明が解決しようとする課題】
【０００４】
しかしながら、上記特許文献１の避難時携帯用具では、日常的に使用する眼鏡なども、日常的に使用しない健康保険証などと同様に収納ボックスの区間内に収容される。従って、夜間に目覚めたときなどにすぐ必要となる眼鏡を取り出すことは容易ではないという課題がある。また、眼鏡などは、収納ボックスの区間内に平置きされているので、暗闇などで足で踏み付けられ破損する可能性が高かった。
【０００５】
本発明は、以上の点に鑑み、日常的に使用する眼鏡など破損のおそれのある小物を平置きすることなく、且つ容易に取り出すことが可能な携帯鞄を提供することを目的とする。
【課題を解決するための手段】
【０００６】
本発明は、互いの後端面の連結部を中心に回動可能に連結される下蓋と上蓋とが開閉可能に構成された箱体と、前記上蓋の前端部下面に上端部が回動可能に取り付けられた中板と、前記中板の中央部に形成された開口の左右の表面に取り付けられた２つの小物収容部とを備え、前記下蓋と前記上蓋とを開放状態として、前記中板の下端部を前記下蓋の前端部の内面に当接して係止することにより、前記中板は後方に傾斜して立ち上がった状態で支持されることを特徴とする。
【０００７】
本発明によれば、２つの小物収容部に眼鏡や携帯電話など、夜間に目覚めたときなどにすぐに必要な小物を収容して、中板を立ち上げた状態としておけば、夜間に目覚めたときなどであっても、これら小物を容易に取り出すことができる。
【０００８】
そこで、本発明において、前記２つの小物保持部は、眼鏡を収容するポケット状の眼鏡収容部と携帯電話を収容するポケット状の携帯電話収容部であることが好ましい。
【０００９】
また、本発明によれば、開口を介して、箱体内部に収容した日常必需品や貴重品などの小物を目視して確認することや取り出すことが容易である。また、逆に、開口を介して、これら小物を箱体内に収容することも容易である。
【図面の簡単な説明】
【００１０】
【図１】本発明の実施形態に係る避難時携帯鞄の開放状態を示す斜視図。
【図２】避難時携帯鞄の閉鎖状態を示す斜視図。
【発明を実施するための形態】
【００１１】
以下、本発明の携帯鞄の実施形態に係る避難時携帯鞄１０について説明する。
【００１２】
図１及び図２に示すように、避難時携帯鞄１０は、下蓋１１と上蓋１２とからなる箱体１３と、中板１４と、２つの小物収容部１５，１６とから構成されている。避難時携帯鞄１０の大きさは、Ｂ５サイズ程度、又はそれより小さい。
【００１３】
下蓋１１、上蓋１２、中板１４は、それぞれ、皮革、又は芯材を皮革で被覆したものから形成されている。皮革は合成皮革でも天然皮革であってもよい。芯材は、厚紙、プラスチックシート発泡材シートなどの薄板状からなるものである。さらに、下蓋１１及び上蓋１２の内側面や中板１４の外面は、ナイロンなどの樹脂からなる薄膜で被覆することが好ましい。
【００１４】
２つの小物収容部１５，１６も、皮革、芯材を皮革で被覆したものから形成してもよいが、小物収容部１５，１６に収容する小物の傷付きを確実に防止するためにフェルトシートなどから形成することが好ましい。
【００１５】
下蓋１１と上蓋１２とは上下対称に略同一の形状であり、下蓋１１は上面が開口した浅い箱状体に、上蓋１２は下面が開口した浅い箱状体にそれぞれ形成されている。そして、下蓋１１と上蓋１２とは、互いの後端面の連結部２１を中心に回動可能に連結されている。
【００１６】
下蓋１１と上蓋１２の連結部２１以外の対向する端部に亘って、スライドファスナ２２が連続して取り付けられている。このスライドファスナ２２を開け閉めすることにより、箱体１３を開閉することが可能となっている。箱体１３の構成は、周知のセカンドバッグの構成と同様である。
【００１７】
スライドファスナ２２を全て閉じた状態では、下蓋１１と上蓋１２とが閉じて、箱体１３の内部空間に外部からアクセスできないようになり、箱体１３は閉鎖状態となる。一方、スライドファスナ２２を全て開けた状態では、下蓋１１と上蓋１２との閉鎖が解除され、上蓋１２を下蓋１１に対して上方に回動させることにより、箱体１３の内部空間に外部からアクセスすることが可能となり、箱体１３は開放状態となる。
【００１８】
中板１４は、上蓋１２の前端部下面に上端部が回動可能に取り付けられている。取り付け方法は限定されないが、例えば縫合によって取り付ければよい。特に、上蓋１２に切り込み穴を形成し、この切り込み穴に中板１４の上端辺の一部又は全部から延出させた片を挿入されたうえで縫合することによって、取り付けることが好ましい。
【００１９】
中板１４の横幅は、下蓋１１及び上蓋１２の内部の横幅より少し狭くなっている。中板１４の高さは、ここでは、下蓋１１及び上蓋１２の奥行き長さと同等であり、中板１４を立ち上げたとき、側面視で、下蓋１１、上蓋１２、中板１４とで大略正三角形が形成される。
【００２０】
中板１４の横方向の中央部には大きな開口２３が形成されている。この開口２３は、切り欠きとして形成されており、中板１４の下端を底辺としている。中板１４を引き起して立ち上げたとき、中板１４の下端部は、下蓋１１の前端部、ここでは前側角部の内面に当接して係止され、中板１４は後方に傾斜した状態で安定的に支持される。
【００２１】
２つの小物収容部１５，１６は、開口２３の左右に位置する中板１４の表面に取り付けられている。取り付け方法は限定されないが、例えば縫合によって取り付ければよい。小物収容部１５，１６は、スエードなど、その内部に収容される小物を傷付けないような材質から形成されている。
【００２２】
ここでは、２つの小物収容部１５，１６は、眼鏡収容部１５と携帯電話収容部１６とである。これら収容部１５，１６は、眼鏡と携帯電話をそれぞれ収容するに適した空間を有するように、上方が開放されたポケット状に構成されている。なお、２つの小物収容部１５，１６は、寝起き時にすぐ使用する小物を収容するものであり、例えば、眼鏡や携帯電話の代わりに手帳やＰＤＡなどを収容するものであってもよい。
【００２３】
中板１４が立ち上がり、箱体１３が開放状態にあるとき、眼鏡や携帯電話を収容部１５，１６に収容すること及び収容部１５，１６から取り出すことは非常に容易である。
【００２４】
一方、寝起き時にすぐには使用しないが避難時に持ち出すことが必要な日常必需品や貴重品、例えば、健康保険証、常備薬、入れ歯、懐中電灯、鍵、財布、クレジットカード等の各種カードなど（以下、これらを必需品等という。）を、箱体１３内に収容することができる。
【００２５】
これら必需品等は避難時に持ち出す必要はあるが、平常時にも必要であり、収納や取り出しが面倒であってはならない。避難時携帯鞄１０では、２つの小物収容部１５，１６の間に位置する開口２３を介して、箱体１３内部に収容した必需品等を目視して確認することや取り出すことが容易である。また、逆に、開口２３を介して、これら必需品等を箱体１３内に収容することも容易である。
【００２６】
中板１４の背面を上蓋１２の内面に接触するように中板１４を回転させ、上蓋１２を閉じることで、中板１４が折り畳まれて箱体１３内部に格納される。そして、スライドファスナ２２を閉じることにより、箱体１３を閉鎖状態にすることができる。
【００２７】
このとき、２つの収容部１５，１６に眼鏡や携帯電話を収容したまま、中板１４を折り畳み閉鎖状態とすることができる。そのため、箱体１３内に収容されている必需品等を外部に移動させることなく、閉鎖することができる。
【００２８】
そして、避難時携帯鞄１０の持ち運び時には、これら必需品等は、２つの収容部１５，１６で動きが抑制されるので、箱体１３内部で散乱するおそれがない。
【００２９】
避難時携帯鞄１０は、平常時には、眼鏡、携帯電話、日常必需品、貴重品などの小物入れとして、就寝時に枕元などに置いて使用すればよい。このとき、中板１４を立ち上げた状態としておけば、夜間に目覚めたときなどに眼鏡や携帯電話を容易に取り出すことができる。そして、中板１４に形成された開口２３を介して、箱体１３内に収容した必需品等を目視して確認することや取り出すことが容易である。また、逆にこれらを箱体１３内に収容することも容易である。
【００３０】
また、眼鏡や携帯電話が、立ち上がった中板１４の収容部１５，１６に収容されているので、平置きされた場合と比較して、暗闇などで足で踏み付けられても破損する可能性が少ない。
【００３１】
そして、非常時には、避難時携帯鞄１０に収容された眼鏡、携帯電話、日常必需品、貴重品などを容易に持ち出すことが可能となる。また、旅行等の外出時には、避難時携帯鞄１０はバッグインバッグとなり他の鞄の中に収容することもできる。
【００３２】
さらに、避難時携帯鞄１０は、下蓋１１の底面が床面などに接して載置されるので、安定性がよく、地震時などでも容易に移動しない。
【００３３】
以上、本発明の実施形態について説明したが、本発明はこれに限定されない。例えば、避難時携帯鞄に手提げ用把手や肩下げ用の紐などを取り付けてもよい。
【００３４】
また、本発明に係る開口を中板１４に切り欠いて形成した開口２３とした場合について説明した。しかし、本発明に係る開口は、これに限定されず、例えば中板を刳り貫いて形成してもよい。この場合、中板の下端部は切り欠かれることなく連続し、立ち上げた中板の安定性が向上する。
【００３５】
また、本発明に係る小物保持部を収容部１５，１６とした場合について説明した。しかし、本発明に係る小物保持部は、これに限定されず、例えばフックやマジックテープ（登録商標）などを中板１４に取り付けたものであってもよい。
【符号の説明】
【００３６】
１０…避難時携帯鞄（携帯鞄）、  １１…下蓋、  １２…上蓋、  １３…箱体、  １４…中板、  １５…小物収容部、眼鏡収容部（小物保持部）、  １６…小物収容部、携帯電話収容部（小物保持部）、  ２１…連結部、  ２２…スライドファスナ、  ２３…開口。
【図１】
2013111337.tif 000003
【図２】
2013111337.tif 000004